(57)【要約】【課題】回路板の空間使用率を高めることができる撮像装置を提供する。【解決手段】ハウジングと、ハウジング内に設置され、画像センシングユニットを含む第１の回路板と、ハウジング内に設置され、第１の回路板に結合される第２の回路板と、ハウジング内に設置され、少なくとも第１の回路板および第２の回路板を部分的に囲む支持フレームであって、第１の回路板および第２の回路板は、支持フレームにそれぞれ当接し、支持フレームは、少なくとも１つのスペーサーを有し、スペーサーは、支持フレームに直接連結され、スペーサーは、第１の回路板と第２の回路板の間に挟設され、第１の回路板と第２の回路板の間の距離を維持する、支持フレームと、ハウジングに連結され、画像センシングユニットに対応するレンズと、を含む撮像装置。【選択図】図１Ａ
2019080299.tif 000002
【特許請求の範囲】
【請求項１】
ハウジングと、
前記ハウジング内に設置され、画像センシングユニットを含む第１の回路板と、
前記ハウジング内に設置され、前記第１の回路板に結合される第２の回路板と、
前記ハウジング内に設置され、少なくとも前記第１の回路板および前記第２の回路板を部分的に囲む支持フレームであって、前記第１の回路板および前記第２の回路板は、前記支持フレームにそれぞれ当接し、前記支持フレームは、少なくとも１つのスペーサーを有し、前記スペーサーは、前記支持フレームに直接連結され、前記スペーサーは、前記第１の回路板と前記第２の回路板の間に挟設され、前記第１の回路板と前記第２の回路板の間の距離を維持する、支持フレームと、
前記ハウジングに連結され、前記画像センシングユニットに対応するレンズと、
を含む撮像装置。
【請求項２】
前記支持フレームは、金属板金構造であり、前記支持フレームは、
前記画像センシングユニットに対応する開口を有する１つのベースと、
前記ベースに連結し、互いに対向し、前記スペーサーがその上に形成される２つの第１の側板と、
前記ベースに連結し、互いに対向する２つの第２の側板であって、前記第１の側板および前記第２の側板は、前記第１の回路板および前記第２の回路板を囲む、２つの第２の側板と、を含み、
各前記第１の側板上に、２つのスペーサーが形成され、前記スペーサーは、前記第１の側板の両側に形成され、各前記第２の側板は、複数の第１の当接部を有し、前記第１の回路板は、前記第１の当接部と前記スペーサーの間に挟設され、各前記第２の側板は、複数の第２の当接部を有し、前記第２の回路板は、前記第２の当接部と前記スペーサーの間に挟設される、請求項１に記載の撮像装置。
【請求項３】
前記スペーサーは、もう１つの前記第１の側板に近い方向に向けて湾曲し、
前記第１の当接部は、前記第２の側板の両側に垂直に延伸する方向に沿って湾曲し、且つ
前記第２の当接部は、前記第２の側板の両側に垂直に延伸する方向に沿って湾曲し、前記第１の当接部は、前記第２の当接部に対向し、前記スペーサーは、前記第１の当接部と第２の当接部の間に配置される、請求項２に記載の撮像装置。
【請求項４】
前記ベースは、複数の緩衝部を更に含み、前記緩衝部は、前記ベースから前記ハウジングに向けて延伸し、前記緩衝部の自由端は、前記ハウジングに当接し、各前記第２の側板は、フックを更に含み、各前記フックは、前記ハウジングに近い方向に向けて延伸した自由端を有し、前記ハウジングの内壁の陥凹に、前記フックの数量に対応した複数のスロットが設置され、各前記スロットは、底面を有し、前記フックの自由端は、前記スロットの前記底面に係合する、請求項２に記載の撮像装置。
【請求項５】
前記支持フレームは、金属板金構造であり、前記支持フレームは、
第１の側板と、
前記第１の側板の一方の側に連結された第２の側板と、
前記第１の側板のもう一方の側に連結された第３の側板であって、前記第２の側板は、前記第３の側板に平行し、前記スペーサーは、第２の側板および第３の側板の上に形成された、第３の側板と、を含み、
前記スペーサーは、一体成型の方式で、前記支持フレームに形成される、請求項１に記載の撮像装置。
【請求項６】
前記支持フレームは、複数の第１の当接部を更に含み、前記第１の当接部は、前記第２の側板および前記第３の側板の上に形成され、各第１の当接部は、前記第１の回路板および前記ハウジングに同時に当接し、前記第１の回路板は、前記第１の当接部と前記スペーサーの間に挟設され、前記第１の当接部は、前記第１の側板、前記第２の側板、および前記第３の側板の上に形成され、前記支持フレームは、複数の第２の当接部を更に含み、前記第２の当接部は、前記第２の側板および前記第３の側板の上に形成され、前記第２の当接部は、前記第２の回路板に当接し、前記第２の回路板は、前記第２の当接部とスペーサーの間に挟設される、請求項５に記載の撮像装置。
【請求項７】
前記支持フレームは、複数のフックを更に含み、前記フックは、前記ハウジングに近い方向に向けて延伸した自由端を有し、前記フックは、前記第２の側板および前記第３の側板の上に形成され、前記ハウジングの内壁の陥凹に、前記フックの数量に対応した複数のスロットが設置され、前記各スロットは、底面を有し、前記フックの自由端は、前記スロットの底面に係合する、請求項５に記載の撮像装置。
【請求項８】
前記支持フレームは、弾性構造であり、前記支持フレームは、
前記スペーサーの一方の側に配置された複数の第１の保持溝と、
前記スペーサーのもう一方の側に配置された複数の第２の保持溝であって、前記第１の回路板が前記第１の保持溝の中に嵌め込まれ、前記第２の回路板が前記第２の保持溝の中に嵌め込まれた、複数の第２の保持溝と、
少なくとも一部の前記画像センシングユニットを露出する開口を有するベースであって、前記画像センシングユニットは、前記ベースと前記第１の回路板の間に挟設される、ベースと、を含み、
前記スペーサーは、一体成型の方式で、前記支持フレームに形成される、請求項１に記載の撮像装置。
【発明の詳細な説明】
【技術分野】
【０００１】
本発明は、撮像装置に関するものであり、特に、回路板の空間使用率を高めることができる撮像装置に関するものである。
【背景技術】
【０００２】
自動車に設置される撮像装置は次第に増加しており、撮像装置のサイズはますます小さくなり、画素および防水の要求もますます高まっている。従来の高画質（ＨＤ）撮像装置は、多層のプリント回路板を採用しており、前記プリント回路板は、ネジによってハウジングまたは治具の上に固定され、プリント回路板の間は、表面実装技術で固定される基板表面実装ナット（Ｓｕｒｆａｃｅ Ｍｏｕｎｔｅｄ Ｄｅｖｉｃｅ; ＳＭＴ ｎｕｔ）が設置され、プリント回路板間の距離を維持および固定する。しかしながら、ネジのネジ孔およびＳＭＴナットは、プリント回路板の利用可能な空間を占用し、製品のサイズを大きくし、材料と組み立てコストも増加させる。
【発明の概要】
【発明が解決しようとする課題】
【０００３】
回路板の空間使用率を高めることができる撮像装置を提供する。
【課題を解決するための手段】
【０００４】
本発明は、従来技術の問題を解決するために、ハウジング、第１の回路板、第２の回路板、支持フレーム、およびレンズを含む撮像装置を提供する。第１の回路板は、ハウジング内に設置される。第１の回路板は、画像センシングユニットを含む。第２の回路板は、ハウジング内に設置され、第１の回路板に結合される。支持フレームは、ハウジング内に設置され、支持フレームは、少なくとも第１の回路板および第２の回路板を部分的に囲み、第１の回路板および第２の回路板は、支持フレームにそれぞれ当接し、支持フレームは、少なくとも１つのスペーサーを有し、スペーサーは、支持フレームに直接連結され、スペーサーは、第１の回路板と第２の回路板の間に挟設され、第１の回路板と第２の回路板の間の距離を維持する。レンズは、ハウジングに連結され、画像センシングユニットに対応する。
【０００５】
本発明の実施形態の撮像装置を用いて、スペーサーで従来のＳＭＴナットを代替し、第１の回路板と第２の回路板の間の距離を維持および固定する。また、本発明の実施形態の撮像装置は、当接部（第１の当接部、第２の当接部）とスペーサーが合わさって第１の回路板および第２の回路板を挟持するため、従来のネジを省略することができる。従って、第１の回路板および第２の回路板の利用可能な空間を増加することができ、製品のサイズを小さくし、材料と組み立てコストも低減させることができる。また、支持フレームの構造の強度がより強いため、異なる方向からの衝撃力により耐えることができ、撮像装置の信頼度を増加させる。
【図面の簡単な説明】
【０００６】
【図１Ａ】本発明の第１の実施形態の撮像装置を示す分解図である。
【図１Ｂ】本発明の第１の実施形態の支持フレーム、第１の回路板、および第２の回路板を示す分解図である。
【図２Ａ】本発明の第１の実施形態の支持フレーム、第１の回路板、および第２の回路板を示す組立て立体図である。
【図２Ｂ】本発明の第１の実施形態の支持フレーム、第１の回路板、および第２の回路板を示す組立て側面図である。
【図３Ａ】本発明の第１の実施形態の主な部品を示す断面図である。
【図３Ｂ】本発明の第１の実施形態の支持フレームがハウジングに結合する状態を示している。
【図４Ａ】本発明の第２の実施形態の支持フレームを示している。
【図４Ｂ】本発明の第２の実施形態の主な部品を示す断面図であり、第１の当接部、第２の当接部、およびスペーサーは、第１の回路板および第２の回路板を挟持している。
【図４Ｃ】本発明の第２の実施形態の主な部品を示す断面図であり、フックがスロットに係合している。
【図５Ａ】本発明の第３の実施形態の支持フレームを示している。
【図５Ｂ】本発明の第３の実施形態の支持フレームが第１の回路板に結合する状態を示している。
【図５Ｃ】本発明の第３の実施形態の主な部品を示す断面図である。
【発明を実施するための形態】
【０００７】
図１Ａ、１Ｂは、本発明の第１の実施形態のハウジング４、第１の回路板１、第２の回路板２、支持フレームＨ１、およびレンズ５を含む撮像装置Ｃを示している。第１の回路板１は、ハウジング４内に設置され、第１の回路板１は、画像センサユニット１１を含む。第２の回路板２は、ハウジング４内に設置され、第１の回路板１に結合される。支持フレームＨ１は、フレーム４内に設置され、支持フレームＨ１は、少なくとも第１の回路板１および第２の回路板２を部分的に囲み、第１の回路板１および第２の回路板２は、支持フレームＨ１にそれぞれ当接し、支持フレームＨ１は、少なくとも１つのスペーサー３４を有し、スペーサー３４は、支持フレームＨ１に直接連結され、スペーサー３４は、第１の回路板１と第２の回路板２の間に挟設され、第１の回路板１と第２の回路板２の間の距離を維持する。レンズ５は、ハウジング４に連結され、画像センシングユニット１１に対応する。
【０００８】
図１Ｂに示すように、実施形態では、支持フレームＨ１は、金属板金構造であり、スペーサー３４は、一体成型の方式で、支持フレームＨ１に形成される。図２Ａ、図２Ｂに示すように、実施形態では、支持フレームＨ１は、１つのベース３３、２つの第１の側板３１および２つの第２の側板３２を含む。ベース３３は、開口３３１を有し、開口３３１は、画像センシングユニット１１に対応する。第１の側板３１は、ベース３３に連結し、第１の側板３１は、互いに対向し、スペーサー３４が第１の側板３１の上に形成される。第２の側板３２は、ベース３３に連結し、第２の側板３２は、互いに対向し、第１の側板３１および第２の側板３２は、第１の回路板１および第２の回路板２を囲む。
【０００９】
図２Ａ、図２Ｂに示すように、この実施形態では、各第１の側板３１上に、２つのスペーサー３４が形成され、スペーサー３４は第１の側板３１の両側に形成される。前記スペーサー３４は、もう１つの第１の側板３１に近い方向に向けて湾曲する。
【００１０】
図２Ａ、図２Ｂに示すように、この実施形態では、各第２の側板３２は、複数の第１の当接部３２１を有し、第１の回路板１は、第１の当接部３２１とスペーサー３４の間に挟設される。第１の当接部３２１は、第２の側板３２の両側に垂直に延伸する方向に沿って湾曲する。また、各第２の側板３２は、複数の第２の当接部３２２を有し、第２の回路板２は、第２の当接部３２２とスペーサー３４の間に挟設される。同様に、第２の当接部３２２は、第２の側板３２の両側に垂直に延伸する方向に沿って湾曲する。第１の当接部３２１は、第２の当接部３２２に対向し、スペーサー３４は、第１の当接部３２１と第２の当接部３２２の間に配置される。
【００１１】
本発明の実施形態の撮像装置を用いて、スペーサーで従来のＳＭＴナットを代替し、第１の回路板と第２の回路板の間の距離を維持および固定する。また、本発明の実施形態の撮像装置は、当接部（第１の当接部、第２の当接部）とスペーサーが合わさって第１の回路板および第２の回路板を挟持するため、従来のネジを省略することができる。従って、第１の回路板および第２の回路板の利用可能な空間を増加することができ、製品のサイズを小さくし、材料と組み立てコストも低減させることができる。また、支持フレームの構造の強度がより強いため、異なる方向からの衝撃力により耐えることができ、撮像装置の信頼度を増加させる。
【００１２】
上述の実施形態では、第１の当接部、第２の当接部、およびスペーサーの形状および設置位置は必要に応じて変えることができ、本発明を限定するものではない。
【００１３】
図２Ａ、図３Ａに示すように、実施形態では、ベース３３は、複数の緩衝部３３２を更に含み、緩衝部３３２は、ベース３３からハウジング４に向けて延伸し、緩衝部３３２の自由端は、ハウジング４に当接し、緩衝部３３２は、組み立てに対する製造交差の影響を低減し、レンズ５と画像センシングユニット１１の間の距離を維持することができる。
【００１４】
図３Ａ、図３Ｂに示すように、実施形態では、各第２の側板３２は、フック３２３を更に含み、各フック３２３は、ハウジング４に近い方向に向けて延伸した自由端を有し、ハウジング４の内壁の陥凹に、フックの数量に対応した複数のスロット４１が設置され、各スロット４１は、底面４１１を有し、フック３２３の自由端は、スロット４１の底面４１１に係合する。同様に、フック３２３は、組み立てに対する製造交差の影響を低減し、ハウジング４が支持フレームＨ１にしっかり連結するようにする。
【００１５】
図３Ｂに示すように、実施形態では、支持フレームＨ１は、複数の位置決め凸部３７を有し、位置決め凸部３７は、ハウジング４の内壁に当接する。同様に、位置決め凸部３７も組み立てに対する製造交差の影響を低減し、ハウジング４が支持フレームＨ１にしっかり連結するようにする。
【００１６】
図４Ａは、本発明の第２の実施形態を示す支持フレームＨ２を示している。この実施形態では、支持フレームＨ２は、金属板金構造である。支持フレームＨ２は、第１の側板３１、第２の側板３２、および第３の側板３５を含む。第２の側板３２は、第１の側板３１の一方の側に連結される。第３の側板３５は、第１の側板３１のもう一方の側に連結される。前記第２の側板３２は、第３の側板３５に平行し、スペーサー３４は、第１の側板３１、第２の側板３２、および第３の側板３５の上に形成される。
【００１７】
実施形態では、スペーサー３４は、第１の側板３１、第２の側板３２、および第３の側板３５の上に形成されるが、これに限定されるものではない。もう１つの実施形態では、スペーサー３４は、第２の側板３２および第３の側板３５の上にだけ形成される可能性もある。スペーサー３４の数量もそれに応じて変えることができる。
【００１８】
図４Ａ、図４Ｂに示すように、この実施形態では、支持フレームＨ２は、複数の第１の当接部３４１を更に含み、第１の当接部３４１は、第１の側板３１、第２の側板３２、および第３の側板３５の上に形成され、各第１の当接部３４１は、第１の回路板１およびハウジング４に同時に当接し、第１の回路板１は、第１の当接部３４１とスペーサー３４の間に挟設される。第１の当接部３４１は、第１の回路板１およびハウジング４に同時に当接し、組み立てに対する製造交差の影響を低減し、レンズ５と画像センシングユニット１１の間の距離を維持することができる。実施形態では、第１の当接部３４１の自由端は、溶接などの方式によってハウジング４に連結されることができる。
【００１９】
実施形態では、第１の当接部３４１は、第１の側板３１、第２の側板３２、および第３の側板３５の上に形成されるが、これに限定されるものではない。もう１つの実施形態では、第１の当接部３４１は、第２の側板３２および第３の側板３５の上にだけ形成される可能性もある。第１の当接部３４１の数量もそれに応じて変えることができる。
【００２０】
図４Ａ、図４Ｂに示すように、実施例では、支持フレームＨ２は、複数の第２の当接部３４２を更に含み、第２の当接部３４２は、第１の側板３１、第２の側板３２、および第３の側板３５の上に形成され、第２の当接部３４２は、第２の回路板２に当接し、第２の回路板２は、第２の当接部３４２とスペーサー３４の間に挟設される。
【００２１】
実施形態では、第２の当接部３４２は、第１の側板３１、第２の側板３２、および第３の側板３５の上に形成されるが、これに限定されるものではない。もう１つの実施形態では、第２の当接部３４２は、第２の側板３２および第３の側板３５の上にだけ形成される可能性もある。第２の当接部３４２の数量もそれに応じて変えることができる。
【００２２】
図４Ｃに示すように、第１の実施形態と同様に、この実施形態では、支持フレームＨ２は、複数のフック３４３を更に含み、各フック３４３は、ハウジング４に近い方向に向けて延伸した自由端を有し、フック３４３は、第２の側板３２および第３の側板３５の上に形成され、ハウジング４の内壁の陥凹に、フックの数量に対応した複数のスロット４１が設置され、各スロット４１は、底面４１１を有し、フック３４３の自由端は、スロット４１の底面４１１に係合する。同様に、フック３４３は、組み立てに対する製造交差の影響を低減し、ハウジング４が支持フレームＨ２にしっかり連結するようにする。
【００２３】
図４Ａに示すように、実施形態では、支持フレームＨ２は、複数の位置決め凸部３７を有し、位置決め凸部３７は、ハウジング４の内壁に当接する。同様に、位置決め凸部３７も組み立てに対する製造交差の影響を低減し、ハウジング４が支持フレームＨ２にしっかり連結するようにする。
【００２４】
図５Ａ、図５Ｂ、図５Ｃは、本発明の第３の実施形態の支持フレームＨ３を示している。この実施形態では、支持フレームＨ３は、弾性構造であり、支持フレームＨ３は、複数の第１の保持溝３６１、複数の第２の保持溝３６２、およびベース３６を含む。第１の保持溝３６１は、スペーサー３４の一方の側に配置される。第２の保持溝３６２は、スペーサー３４のもう一方の側に配置される。第１の回路板１が第１の保持溝３６１の中に嵌め込まれ、第２の回路板２が第２の保持溝３６２の中に嵌め込まれることによって、第１の回路板１と第２の回路板２の間の距離が維持される。画像センシングユニット１１は、ベース３６と第１の回路板１の間に挟設される。ベース３６は、開口３６３を有し、開口３６３は、少なくとも一部の画像センシングユニット１１を露出し、ベース３６は、画像センシングユニット１１に近接または当接するため、ハウジング４内の部品が招く光反射による画像上のフレア（ｆｌａｒｅ）を防止し、画像品質を向上させる。
【００２５】
本開示は、実施例の方法を用いて、且つ実施形態の観点から記述されてきたが、本開示は開示された実施形態に限定されるものではないということを理解されたい。逆に、（当業者には明らかであるように）種々の変更及び同様の配置を含むように意図される。よって、添付の特許請求の範囲は、全てのそのような変更および同様の配置を包含するように、最も広義な解釈が与えられるべきである。
【符号の説明】
【００２６】
Ｃ  撮像装置
１  第１の回路板
１１  画像センシングユニット
２  第２の回路板
Ｈ１、Ｈ２、Ｈ３  支持フレーム
３１  第１の側板
３２  第２の側板
３２１  第１の当接部
３２２  第２の当接部
３２３  フック
３３  ベース
３３１  開口
３３２  緩衝部
３４  スペーサー
３４１  第１の当接部
３４２  第２の当接部
３４３  フック
３５  第３の側板
３６  ベース
３６１  第１の保持溝
３６２  第２の保持溝
３６３  開口
３７  位置決め凸部
４  ハウジング
４１  スロット
４１１  底面
５  レンズ
【図１Ａ】
2019080299.tif 000003
【図１Ｂ】
2019080299.tif 000004
【図２Ａ】
2019080299.tif 000005
【図２Ｂ】
2019080299.tif 000006
【図３Ａ】
2019080299.tif 000007
【図３Ｂ】
2019080299.tif 000008
【図４Ａ】
2019080299.tif 000009
【図４Ｂ】
2019080299.tif 000010
【図４Ｃ】
2019080299.tif 000011
【図５Ａ】
2019080299.tif 000012
【図５Ｂ】
2019080299.tif 000013
【図５Ｃ】
2019080299.tif 000014